(57)【要約】  【課題】  通信試験のシナリオの保守および更新が容易な通信試験装置を提供する。  【解決手段】  被試験装置１４に信号を送信し、被試験装置１４からの信号を受信する複数の信号送受信部１５および１６と、複数の信号送受信部１５および１６の複数の制御シナリオ１ａ乃至１ｃが夫々示された複数の制御情報を格納する制御情報格納部１３ａと、制御情報格納部１３ａに夫々格納された複数の制御情報に基いて複数の制御信号を夫々生成する複数の制御信号生成部２ａ乃至２ｃと、制御情報格納部１３ａの複数の制御情報に基いて複数の制御シナリオ１ａ乃至１ｃが相互に同期するよう制御する同期制御部１３ｃとを備える。【選択図】  図４
2005286840.tif 000002
【特許請求の範囲】
【請求項１】
被試験装置に信号を送信し、前記被試験装置からの信号を受信する複数の信号送受信部（１５、１６）と、前記複数の信号送受信部の複数の制御シナリオが夫々示された複数の制御情報を格納する制御情報格納部（１３ａ）と、前記制御情報格納部に格納された複数の制御情報に基いて複数の制御信号を夫々生成する複数の制御信号生成部（２ａ、２ｂ、２ｃ）と、前記制御情報格納部の複数の制御情報に基いて前記複数の制御シナリオが相互に同期するよう制御する同期制御部（１３ｃ）とを備え、前記被試験装置の通信試験を実行する通信試験装置（１０）。
【請求項２】
無線通信を実行する第１エミュレータ（１１）と、有線通信を実行する第２エミュレータ（１２）と、前記第１および第２エミュレータを制御する制御ユニット（１３）とを備え、前記無線通信と前記有線通信とを中継する被試験装置に対して通信試験を実行する通信試験装置であって、
前記第１および第２エミュレータは、各々、前記被試験装置に信号を送信し、前記被試験装置からの信号を受信する少なくとも１つの信号送受信部を有し、
前記制御ユニットは、前記第１および第２エミュレータの信号送信部の複数の制御シナリオが夫々示された複数の制御情報を格納する制御情報格納部と、前記制御情報格納部に格納された複数の制御情報に基いて複数の制御信号を夫々生成する複数の制御信号生成部と、前記制御情報格納部の複数の制御情報に基いて前記複数の制御シナリオが相互に同期するよう制御する同期制御部とを有することを特徴とする通信試験装置。
【請求項３】
前記信号送受信部は、前記被試験装置に前記信号を送信した時刻が示された送信時刻情報と前記被試験装置から前記信号を受信した時刻が示された受信時刻情報とを生成する時刻情報生成部（１５ａ、１６ａ）と、
前記被試験装置に送信した信号が表わす情報と前記被試験装置から受信した信号が表わす情報とに前記送信時刻情報と前記受信時刻情報とを夫々付加し、付加した情報を前記通信試験のトレース結果情報として蓄積する蓄積部（１５ｂ、１６ｂ）とを有することを特徴とする請求項１または請求項２に記載の通信試験装置。
【請求項４】
前記信号送受信部の時刻情報生成部は、人工衛星からの電波を受信し、受信した電波から時刻情報を生成し、生成した時刻情報に基いて前記被試験装置に前記信号を送信した時刻が示された送信時刻情報と前記被試験装置から前記信号を受信した時刻が示された受信時刻情報とを生成するようにしたことを特徴とする請求項３に記載の通信試験装置。
【請求項５】
前記信号送受信部は、前記被試験装置から受信した信号の符号誤りを検出し、検出した符号誤りを所定の時間毎に集計することによって前記被試験装置から受信した信号の符号誤り率を測定する測定部（１５ｃ、１６ｃ）を有し、
前記信号送受信部の蓄積部は、前記測定部が測定した符号誤り率を表わす情報に前記時刻情報を付加し、付加した情報を前記通信試験の測定結果情報として蓄積するようにしたことを特徴とする請求項３または請求項４に記載の通信試験装置。
【請求項６】
前記被試験装置は、Ｗ−ＣＤＭＡ方式の移動体通信システムにおける無線基地局であることを特徴とする請求項１から請求項５までの何れかに記載の通信試験装置。
【発明の詳細な説明】
【技術分野】
【０００１】
本発明は、通信試験装置に関し、詳しくは、Ｗ−ＣＤＭＡ方式の移動体通信システムにおける無線基地局に対して通信試験を実行する通信試験装置に関する。
【背景技術】
【０００２】
従来の通信試験装置は、全体の動作を統括する試験実行管理部と、被試験装置に対してテストデータの送受信を行う送受信部と、ログ情報ファイルにテスト結果を記録するロギング部とを備え、被試験装置の通信試験を実行するようになっていた（例えば、特許文献１参照）。
【０００３】
複数の送受信部を備えた従来の通信試験装置の場合には、複数の送受信部の複数の制御シナリオが並行に逐次実行されるよう送受信部の制御シナリオを分割し、複数の送受信部の複数の制御シナリオを通信試験のシナリオに組み込んでいた。
【０００４】
また、通信試験のシナリオを実行する場合の待ち時間の合計が、複数の送受信部の待ち時間の単純和になるので通信試験にかかる時間が増大していた。
【特許文献１】特開平０５−３７６０４号公報
【発明の開示】
【発明が解決しようとする課題】
【０００５】
しかしながら、移動体通信システムにおける無線基地局の通信試験のように複数の送受信部を制御するシナリオは、無線基地局の無線通信側のシナリオと有線通信側のシナリオとが相互に関係するので、通信試験のシナリオの保守および更新が容易ではなかった。
【０００６】
本発明は、従来の問題を解決するためになされたもので、通信試験のシナリオの保守および更新が容易な通信試験装置を提供することを目的とする。
【課題を解決するための手段】
【０００７】
本発明の通信試験装置は、被試験装置に信号を送信し、前記被試験装置からの信号を受信する複数の信号送受信部と、前記複数の信号送受信部の複数の制御シナリオが夫々示された複数の制御情報を格納する制御情報格納部と、前記制御情報格納部に格納された複数の制御情報に基いて複数の制御信号を夫々生成する複数の制御信号生成部と、前記制御情報格納部の複数の制御情報に基いて前記複数の制御シナリオが相互に同期するよう制御する同期制御部とを備え、前記被試験装置の通信試験を実行する構成を有している。
【０００８】
この構成により、複数の信号送受信部の複数の制御シナリオを独立に生成することができる。
【０００９】
本発明の通信試験装置は、無線通信を実行する第１エミュレータと、有線通信を実行する第２エミュレータと、前記第１および第２エミュレータを制御する制御ユニットとを備え、前記無線通信と前記有線通信とを中継する被試験装置に対して通信試験を実行する通信試験装置であって、前記第１および第２エミュレータは、各々、前記被試験装置に信号を送信し、前記被試験装置からの信号を受信する少なくとも１つの信号送受信部を有し、前記制御ユニットは、前記第１および第２エミュレータの信号送信部の複数の制御シナリオが夫々示された複数の制御情報を格納する制御情報格納部と、前記制御情報格納部に格納された複数の制御情報に基いて複数の制御信号を夫々生成する複数の制御信号生成部と、前記制御情報格納部の複数の制御情報に基いて前記複数の制御シナリオが相互に同期するよう制御する同期制御部とを有する構成を有している。
【００１０】
この構成により、第１および第２エミュレータの複数の信号送受信部の複数の制御シナリオを独立に生成することができる。
【００１１】
本発明の通信試験装置は、前記信号送受信部は、前記被試験装置に前記信号を送信した時刻が示された送信時刻情報と前記被試験装置から前記信号を受信した時刻が示された受信時刻情報とを生成する時刻情報生成部と、前記被試験装置に送信した信号が表わす情報と前記被試験装置から受信した信号が表わす情報とに前記送信時刻情報と前記受信時刻情報とを夫々付加し、付加した情報を前記通信試験のトレース結果情報として蓄積する蓄積部とを有する構成を有している。
【００１２】
この構成により、第１エミュレータの信号送信部の蓄積部が蓄積した情報と第２エミュレータの信号送信部の蓄積部が蓄積した情報とを時刻情報に基いて比較することができる。
【００１３】
本発明の通信試験装置は、前記信号送受信部の時刻情報生成部は、人工衛星からの電波を受信し、受信した電波から時刻情報を生成し、生成した時刻情報に基いて前記被試験装置に前記信号を送信した時刻が示された送信時刻情報と前記被試験装置から前記信号を受信した時刻が示された受信時刻情報とを生成する構成を有している。
【００１４】
この構成により、第１および第２エミュレータが相互に離れて設置されても、第１エミュレータの信号送信部の蓄積部が蓄積した情報と第２エミュレータの信号送信部の蓄積部が蓄積した情報とを時刻情報に基いて比較することができる。
【００１５】
本発明の通信試験装置は、前記信号送受信部は、前記被試験装置から受信した信号の符号誤りを検出し、検出した符号誤りを所定の時間毎に集計することによって前記被試験装置から受信した信号の符号誤り率を測定する測定部を有し、前記信号送受信部の蓄積部は、前記測定部が測定した符号誤り率を表わす情報に前記時刻情報を付加し、付加した情報を前記通信試験の測定結果情報として蓄積する構成を有している。
【００１６】
この構成により、符号誤り率の時刻情報が表わす時刻と被試験装置に信号が送信された時刻および被試験装置から信号を受信した時刻とを比較し、通信試験装置と被試験装置とがどのようなメッセージのやり取りをしたときに信号が劣化するのかを解析することができる。
【００１７】
本発明の通信試験装置は、前記被試験装置は、Ｗ−ＣＤＭＡ方式の移動体通信システムにおける無線基地局である構成を有している。
【００１８】
この構成により、Ｗ−ＣＤＭＡ方式の移動体通信システムにおける無線基地局に対して通信試験を実行することができる。
【発明の効果】
【００１９】
本発明は、第１および第２エミュレータの複数の信号送受信部の複数の制御シナリオを相互に独立に記述することができるので、通信試験のシナリオの保守および更新が容易であるという効果を有する通信試験装置を提供することができるものである。
【発明を実施するための最良の形態】
【００２０】
以下、図１乃至３を参照し、本発明の一実施の形態の通信試験装置について説明する。
【００２１】
通信試験装置１０は、図１に示すように、無線通信を実行する第１エミュレータ１１と、有線通信を実行する第２エミュレータ１２と、第１および第２エミュレータ１１、１２を制御する制御ユニット１３とを備え、無線通信と有線通信とを中継する被試験装置１４に対して通信試験を実行するようになっている。
【００２２】
ここで、被試験装置１４は、Ｗ−ＣＤＭＡ方式の移動体通信システムにおける無線基地局である。
【００２３】
第１エミュレータ１１は、複数の信号送受信部１５を有し、複数の信号送受信部１５は、各々、被試験装置１４に信号を送信し、被試験装置１４からの信号を受信するようになっている。一方、第２エミュレータ１２は、被試験装置１４に信号を送信し、被試験装置１４からの信号を受信する少なくとも１つの信号送受信部１６を有し、信号送受信部１６は、各々、被試験装置１４に信号を送信し、被試験装置１４からの信号を受信するようになっている。
【００２４】
また、第１エミュレータ１１の複数の信号送受信部１５は、各々、図２に示すように、被試験装置１４に信号を送信した時刻が示された送信時刻情報と被試験装置１４から信号を受信した時刻が示された受信時刻情報とを生成する時刻情報生成部１５ａと、被試験装置１４に送信した信号が表わす情報と被試験装置１４から受信した信号が表わす情報とに送信時刻情報と受信時刻情報とを夫々付加し、付加した情報を通信試験のトレース結果情報として蓄積する蓄積部１５ｂとを有している。
【００２５】
ここで、時刻情報生成部１５ａは、人工衛星からの電波を受信し、受信した電波から時刻情報を生成し、生成した時刻情報に基いて被試験装置１４に信号を送信した時刻が示された送信時刻情報と被試験装置１４から信号を受信した時刻が示された受信時刻情報とを生成するようになっている。
【００２６】
第１エミュレータ１１の信号送受信部１５は、さらに、被試験装置１４から受信した信号の符号誤りを検出し、検出した符号誤りを所定の時間毎に集計することによって被試験装置１４から受信した信号の符号誤り率を測定する測定部１５ｃを有している。また、信号送受信部１５の蓄積部１５ｂは、測定部１５ｃが測定した符号誤り率を表わす情報に時刻情報を付加し、付加した情報を通信試験の測定結果情報として蓄積するようになっている。
【００２７】
第１エミュレータ１１の信号送受信部１５は、さらに、被試験装置１４からの信号を受信する受信部１５ｄと、被試験装置１４に信号を送信する送信部１５ｅとを備えている。
【００２８】
また、第２エミュレータ１２の複数の信号送受信部１６は、図３に示すように、被試験装置１４に信号を送信した時刻が示された送信時刻情報と被試験装置１４から信号を受信した時刻が示された受信時刻情報とを生成する時刻情報生成部１６ａと、被試験装置１４に送信した信号が表わす情報と被試験装置１４から受信した信号が表わす情報とに送信時刻情報と受信時刻情報とを夫々付加し、付加した情報を通信試験のトレース結果情報として蓄積する蓄積部１６ｂとを有している。
【００２９】
ここで、時刻情報生成部１６ａは、人工衛星からの電波を受信し、受信した電波から時刻情報を生成し、生成した時刻情報に基いて被試験装置１４に信号を送信した時刻が示された送信時刻情報と被試験装置１４から信号を受信した時刻が示された受信時刻情報とを生成するようになっている。
【００３０】
第２エミュレータ１２の信号送受信部１６は、さらに、被試験装置１４から受信した信号の符号誤りを検出し、検出した符号誤りを所定の時間毎に集計することによって被試験装置１４から受信した信号の符号誤り率を測定する測定部１６ｃを有している。また、信号送受信部１６の蓄積部１６ｂは、測定部１６ｃが測定した符号誤り率を表わす情報に時刻情報を付加し、付加した情報を通信試験の測定結果情報として蓄積するようになっている。
【００３１】
第２エミュレータ１２の信号送受信部１６は、さらに、被試験装置１４からの信号を受信する受信部１６ｄと、被試験装置１４に信号を送信する送信部１６ｅとを備えている。
【００３２】
なお、第１エミュレータ１１の信号送受信部１５の時刻情報生成部１５ａと第２エミュレータ１２の信号送受信部１６の時刻情報生成部１６ａとは、人工衛星からの電波を利用する代わりに、時刻情報生成部１５ａと時刻情報生成部１６ａとを有線で接続し、互いに時刻を同期させる構成としてもよい。
【００３３】
また、制御ユニット１３は、図４に示すように、通信試験のシナリオが表わされた制御情報を蓄積する制御情報格納部１３ａと、制御情報に基いて第１および第２エミュレータ１１、１２を制御する制御信号を生成する信号生成部１３ｂと、制御情報格納部１３ａの複数の制御情報に基いて複数の制御シナリオが相互に同期するよう制御する同期制御部１３ｃとを有している。
【００３４】
制御情報格納部１３ａは、第１および第２エミュレータ１１、１２の信号送受信部１５および１６の制御シナリオが示された複数の制御情報を格納するようになっている。
【００３５】
信号生成部１３ｂは、第１および第２エミュレータ１１、１２の信号送受信部１５および１６の制御信号を生成する複数の制御信号生成部２ａ乃至２ｃを有している。
【００３６】
また、制御ユニット１３は、第１エミュレータ１１と第２エミュレータ１２に制御信号を送信し、第１エミュレータ１１と第２エミュレータ１２からトレース結果情報と測定結果情報とを受信する送受信部１３ｄと、通信試験の試験結果を表示する表示部１３ｅと、第１および第２エミュレータ１１、１２から受信したトレース結果情報と測定結果情報とを蓄積する蓄積部１３ｆとを有している。
【００３７】
次に、図５および図６を参照し、同期制御部をさらに詳しく説明する。
【００３８】
ここでは、３つの送受信部の３つの制御シナリオを一例としてシナリオ同期を説明するが、本発明の通信試験装置の送受信部の個数を限定するものではない。
【００３９】
複数の制御シナリオ１ａ乃至１ｃ間の同期をとるために、複数の制御シナリオ１ａ乃至１ｃには、シナリオ同期命令が含まれている。このシナリオ同期命令には、「通知」と「待ち」の２種類あり、夫々「何を通知しているのか」「何処から何処に通知するのか」「誰からどの通知を待つのか」といった情報が付与されている。
【００４０】
同期制御部１３ｃは、このシナリオ同期命令に付与された情報に基いて複数の制御シナリオ１ａ乃至１ｃの相互の同期をとるようになっている。
【００４１】
制御ユニット１３は、制御シナリオの数だけの制御信号生成部２ａ乃至２ｃを有している。また、制御信号生成部２ａ乃至２ｃが全体として信号生成部１３ｂを構成している。
【００４２】
本実施の形態の通信試験装置１０の制御ユニット１３は、図５に示すように、３つの制御信号生成部２ａ乃至２ｃと、３つの通知キューとしてのバッファ３ａ乃至３ｃを有している。３つの通知キューは、３つの制御信号生成部２ａ乃至２ｃに宛てられた「通知」をＦＩＦＯ管理するようになっている。
【００４３】
例えば、第３制御信号生成部２ｃから「通知」を受け取ったとき、同期制御部１３ｃは、「通知」に付与された情報に応じてあて先に対応する通知キュー３ａから３ｂまでの何れかに通知内容を格納するようになっている。
【００４４】
また、第１制御信号生成部２ａが同期制御部１３ｃから「待ち」を受け取ったとき、第１制御信号生成部２ａは、通知キューに付与された情報に応じて待ち状態になり、通知キューから待ち状態の解除のメッセージを受け取ったとき、待ち状態を解除し、次の制御シーケンスを実行するようになっている。
【００４５】
例えば、図６に示すように、制御シナリオ１ａおよび１ｂに「完了通知」のシナリオ同期命令が組み込まれ、制御シナリオ１ｃには「完了待ち」のシナリオ同期命令が組み込まれることにより、制御信号生成部２ｂおよび２ｃから完了通知を受け取るまで制御信号生成部２ａが待ち状態になるようにしている。
【００４６】
次に、本発明の一実施の形態の通信試験装置の動作を説明する。
【００４７】
まず、複数の制御信号が、制御ユニット１３の制御情報格納部１３ａに格納されたシナリオに基いて信号生成部１３ｂの複数の制御信号生成部２ａ乃至２ｃで生成される。次いで、生成された複数の制御信号が、送受信部１３ｄによって第１エミュレータ１１の信号送受信部１５と第２エミュレータ１２の信号送受信部１６に送信される。次いで、被試験装置１４の通信試験が、複数の制御信号に応答して第１エミュレータ１１と第２エミュレータ１２によって実行され、第１および第２エミュレータ１１、１２の蓄積部１５ｂ、１６ｂにトレース情報と測定結果情報が蓄積される。次いで、第１および第２エミュレータ１１、１２の蓄積部１５ｂ、１６ｂに蓄積されたトレース情報と測定結果情報が、制御ユニット１３の送受信部１３ｄに逐次受信され、受信されたトレース情報と測定結果情報は、制御ユニット１３の蓄積部１３ｆに蓄積される。
【００４８】
以上説明したように、本発明の通信試験装置は、複数の送受信部の複数の制御シナリオが並行に逐次実行されるよう複数の送受信部の複数の制御シナリオを独立に記述するので、通信試験の保守管理を容易にすることができる。
【００４９】
また、本発明の通信試験装置は、複数の送受信部の複数の制御シナリオが並行に逐次実行されるよう複数の送受信部の複数の制御シナリオを独立に記述するので、通信試験のシナリオを実行する場合の待ち時間の増加を抑えることができる。
【００５０】
また、本発明の通信試験装置は、第１エミュレータの信号送受信部の時刻情報生成部と第２エミュレータの信号送受信部の時刻情報生成部が時刻情報を生成するので、第１エミュレータの信号送受信部と第２エミュレータの信号送受信部とに共通の時刻情報から被試験装置に信号を送信した時刻が示された送信時刻情報と被試験装置から信号を受信した時刻が示された受信時刻情報とを生成することができる。
【産業上の利用可能性】
【００５１】
以上のように、本発明にかかる通信試験装置は、被試験装置が無線通信と有線通信の中継を通信規約に従って実行したか否かを正確に解析することができ、また、通信試験のシナリオの保守および変更を容易にできるという効果を有し、移動体通信システムにおける無線基地局に対して通信試験を実行する通信試験装置として有用である。
【図面の簡単な説明】
【００５２】
【図１】本発明の一実施の形態の通信試験装置の概略構成を示すブロック図
【図２】本発明の一実施の形態の通信試験装置の第１エミュレータの信号送受信部の構成を示すブロック図
【図３】本発明の一実施の形態の通信試験装置の第２エミュレータの信号送受信部の構成を示すブロック図
【図４】本発明の一実施の形態の通信試験装置の構成を示すブロック図
【図５】本発明の一実施の形態の通信試験装置の一部の構成を示すブロック図
【図６】本発明の一実施の形態の通信試験装置の複数の送受信部の複数の制御シナリオを示す図
【符号の説明】
【００５３】
１ａ  第１制御シナリオ
１ｂ  第２制御シナリオ
１ｃ  第３制御シナリオ
２ａ  第１制御信号生成部
２ｂ  第２制御信号生成部
２ｃ  第３制御信号生成部
３ａ  通知キュー
３ｂ  通知キュー
３ｃ  通知キュー
１０  通信試験装置
１１  第１エミュレータ
１２  第２エミュレータ
１３  制御ユニット
１３ａ  制御情報格納部
１３ｂ  信号生成部
１３ｃ  同期制御部
１３ｄ  送受信部
１３ｅ  表示部
１３ｆ  蓄積部
１４  被試験装置
１５  信号送受信部
１５ａ  時刻情報生成部
１５ｂ  蓄積部
１５ｃ  測定部
１５ｄ  受信部
１５ｅ  送信部
１６  信号送受信部
１６ａ  時刻情報生成部
１６ｂ  蓄積部
１６ｃ  測定部
１６ｄ  受信部
１６ｅ  送信部
【図１】
2005286840.tif 000003
【図２】
2005286840.tif 000004
【図３】
2005286840.tif 000005
【図４】
2005286840.tif 000006
【図５】
2005286840.tif 000007
【図６】
2005286840.tif 000008